(57)【要約】  【課題】  シールドの全閉状態を確実に保持した上で、嵌合部と突起部との嵌合解除操作をより容易な  ものとする。  【解決手段】ヘルメット本体の外面部にシールドの全閉時シールドを外方から抑え、また、シールドを開ける際にはシールドを外方に拡げて嵌合部に対する突起部の嵌合を解除する操作子を  有するロック機構を設ける。  【選択図】図３
2008150718.tif 000002
【特許請求の範囲】
【請求項１】
着用者の視界を確保するヘルメット本体の前面開口部を、上下方向の回動により開閉するシールドの全閉状態を保持するヘルメットにおけるシールドのロック機構であって、
シールドの下端部側又は全閉状態におけるシールドの前記下端部側と対向するヘルメット本体のいずれか一方に備えられた突起部と、他方に備えられた嵌合部との嵌合によりシールドの全閉状態を保持し、シールドを外方に拡げて嵌合部と突起部との嵌合を解除するヘルメットにおけるシールドのロック機構において、
前記ロック機構は、前記嵌合部と突起部との嵌合状態を解除する傾斜面部と、嵌合状態を保持する抑え片とを含む操作子をヘルメット本体側に有してなり、
該操作子は、操作子の回動中心を境にして一方側と他方側に位置させてシールドの下端部に対して交互に接近・離間する方向に回動するように軸支され、
前記傾斜面部をシールドの下端部に近接する方向に回動させる操作子の回動により、抑え片がシールドの下端部から離間する方向に回動してシールドの広がりの抑えを解除すると同時に、傾斜面部の前記方向への回動で該傾斜面部がシールドの下端部側から該シールドとヘルメット本体の前記外面部との間に挿入されて、傾斜面部の傾斜に沿ってシールドを外方へ拡げるようにしていることを特徴とするヘルメットにおけるシールドのロック機構。
【請求項２】
着用者の視界を確保するヘルメット本体の前面開口部を、上下方向の回動により開閉するシールドの全閉状態を保持するヘルメットにおけるシールドのロック機構であって、
シールドの下端部側又は全閉状態におけるシールドの前記下端部側と対向するヘルメット本体のいずれか一方に備えられた突起部と、他方に備えられた嵌合部との嵌合によりシールドの全閉状態を保持し、シールドを外方に拡げて嵌合部と突起部との嵌合を解除するヘルメットにおけるシールドのロック機構において、
前記ロック機構は、前記嵌合部と突起部との嵌合状態を解除する傾斜面部と、嵌合状態を保持する抑え片とを含む操作子をヘルメット本体側に有してなり、
該操作子は、前記傾斜面部をシールドの下端部に対して接近・離間する方向に回動するように支持する一方、前記抑え片をシールドの下端部に対して接近・離間する方向へスライドするように支持し、これら傾斜面部と抑え片とに亘って、傾斜面部のシールドの下端部に接近する方向の回動を、抑え片のシールドの下端部から離間する方向へのスライドとして伝達する伝達機構を介在し、
前記傾斜面部をシールドの下端部に近接する方向に回動させることにより、抑え片がシールドの下端部から離間する方向にスライドして、シールドの拡がりの抑えを解除状態にすると同時に、傾斜面部の前記方向への回動で該傾斜面部がシールドの下端部側から該シールドとヘルメット本体の前記外面部との間に挿入されて、傾斜面部の傾斜に沿ってシールドを外方へ拡げるようにしていることを特徴とするヘルメットにおけるシールドのロック機構。
【請求項３】
着用者の視界を確保するヘルメット本体の前面開口部を、上下方向の回動により開閉するシールドの全閉状態を保持するヘルメットにおけるシールドのロック機構であって、
シールドの下端部側又は全閉状態におけるシールドの前記下端部側と対向するヘルメット本体のいずれか一方に備えられた突起部と、他方に備えられた嵌合部との嵌合によりシールドの全閉状態を保持し、シールドを外方に拡げて嵌合部と突起部との嵌合を解除するヘルメットにおけるシールドのロック機構において、
前記ロック機構は、前記嵌合部と突起部との嵌合状態を解除する傾斜面部と、嵌合状態を保持する抑え片を含む操作子をヘルメット本体側に有してなり、
前記操作子を操作することにより、前記傾斜面部と前記抑え片とが連動して、抑え片がシールドの下端部から離間してシールドの拡がりの抑えを解除状態にすると同時に、傾斜面部がシールドの下端部側から該シールドとヘルメット本体の前記外面部との間に挿入されて、傾斜面部の傾斜に沿ってシールドを外方へ拡げるようにしていることを特徴とするヘルメットにおけるシールドのロック機構。
【発明の詳細な説明】
【技術分野】
【０００１】
本発明は、ヘルメットにおけるシールドの全閉状態を保持するロック機構に関する。
【背景技術】
【０００２】
本発明に関連する先行技術文献情報として、例えば、次の非特許文献１がある。
【非特許文献１】http://www.arai.co.jp/jpn/jp/news/sk-5/sk-5.html
【０００３】
このヘルメットにおけるシールドの全閉状態を保持するロック機構は、シールドの下端側に貫通孔状の嵌合部が開孔される一方、シールドの全閉状態におけるシールドの前記嵌合部と対向するヘルメット本体の対向面に、前記嵌合部に嵌合する突起部を突設してなり、シールドの全閉状態において、前記嵌合部に前記突起部が嵌合することによりシールドの全閉状態を保持するようにしたものである。
そして、全閉状態が保持されたシールドを開けるには、該シールドの前記ロック機構付近を着用者自らの手で外側方向へ拡げて、嵌合部と突起部の嵌合を解除し、この解除状態を保持しながらシールドを上方回動して行う。
すなわち、前記シールドのロック機構は、シールドの全閉状態を保持している状態では、通常の開動作であるシールドの上方への回動が阻止され、この回動阻止によりシールドの全閉状態を確実にするものである。
【発明の開示】
【発明が解決しようとする課題】
【０００４】
本発明は、シールドの全閉状態を確実に保持した上で、嵌合部と突起部との嵌合解除操作をより容易なものとすることを課題とし、この課題を解決したヘルメットにおけるシールドのロック機構の提供を目的とする。
又、本発明は、前記課題に加え、シールドの全閉状態をより確実に保持して、事故の衝撃等でシールドがたわみ、不意にロックが解除してしまう現象を防止することを課題とし、この課題を解決したヘルメットにおけるシールドのロック機構の提供を目的とする。
【課題を解決するための手段】
【０００５】
前記目的を達成するため、本発明が採用した技術的手段は、着用者の視界を確保するヘルメット本体の前面開口部を、上下方向の回動により開閉するシールドの全閉状態を保持するヘルメットにおけるシールドのロック機構であって、
シールドの下端部側又は全閉状態におけるシールドの前記下端部側と対向するヘルメット本体のいずれか一方に備えられた突起部と、他方に備えられた嵌合部との嵌合によりシールドの全閉状態を保持し、シールドを外方に拡げて嵌合部と突起部との嵌合を解除するヘルメットにおけるシールドのロック機構において、
前記ロック機構は、前記嵌合部と突起部との嵌合状態を解除する傾斜面部と、嵌合状態を保持する抑え片とを含む操作子をヘルメット本体側に有してなり、該操作子は、操作子の回動中心を境にして一方側と他方側に位置させてシールドの下端部に対して交互に接近・離間する方向に回動するように軸支され、前記傾斜面部をシールドの下端部に近接する方向に回動させる操作子の回動により、抑え片がシールドの下端部から離間する方向に回動してシールドの広がりの抑えを解除すると同時に、傾斜面部の前記方向への回動で該傾斜面部がシールドの下端部側から該シールドとヘルメット本体の前記外面部との間に挿入されて、傾斜面部の傾斜に沿ってシールドを外方へ拡げるようにしていることを特徴とするヘルメットにおけるシールドのロック機構にしたことである。
【０００６】
又、着用者の視界を確保するヘルメット本体の前面開口部を、上下方向の回動により開閉するシールドの全閉状態を保持するヘルメットにおけるシールドのロック機構であって、シールドの下端部側又は全閉状態におけるシールドの前記下端部側と対向するヘルメット本体のいずれか一方に備えられた突起部と、他方に備えられた嵌合部との嵌合によりシールドの全閉状態を保持し、シールドを外方に拡げて嵌合部と突起部との嵌合を解除するヘルメットにおけるシールドのロック機構において、前記ロック機構は、前記嵌合部と突起部との嵌合状態を解除する傾斜面部と、嵌合状態を保持する抑え片とを含む操作子をヘルメット本体側に有してなり、該操作子は、前記傾斜面部をシールドの下端部に対して接近・離間する方向に回動するように支持する一方、前記抑え片をシールドの下端部に対して接近・離間する方向へスライドするように支持し、これら傾斜面部と抑え片とに亘って、傾斜面部のシールドの下端部に接近する方向の回動を、抑え片のシールドの下端部から離間する方向へのスライドとして伝達する伝達機構を介在し、前記傾斜面部をシールドの下端部に近接する方向に回動させることにより、抑え片がシールドの下端部から離間する方向にスライドして、シールドの拡がりの抑えを解除状態にすると同時に、傾斜面部の前記方向への回動で該傾斜面部がシールドの下端部側から該シールドとヘルメット本体の前記外面部との間に挿入されて、傾斜面部の傾斜に沿ってシールドを外方へ拡げるようにしていることを特徴とするヘルメットにおけるシールドのロック機構にしたことである。
【０００７】
又、着用者の視界を確保するヘルメット本体の前面開口部を、上下方向の回動により開閉するシールドの全閉状態を保持するヘルメットにおけるシールドのロック機構であって、シールドの下端部側又は全閉状態におけるシールドの前記下端部側と対向するヘルメット本体のいずれか一方に備えられた突起部と、他方に備えられた嵌合部との嵌合によりシールドの全閉状態を保持し、シールドを外方に拡げて嵌合部と突起部との嵌合を解除するヘルメットにおけるシールドのロック機構において、前記ロック機構は、前記嵌合部と突起部との嵌合状態を解除する傾斜面部と、嵌合状態を保持する抑え片を含む操作子をヘルメット本体側に有してなり、前記操作子を操作することにより、前記傾斜面部と前記抑え片とが連動して、抑え片がシールドの下端部から離間してシールドの拡がりの抑えを解除状態にすると同時に、傾斜面部がシールドの下端部側から該シールドとヘルメット本体の前記外面部との間に挿入されて、傾斜面部の傾斜に沿ってシールドを外方へ拡げるようにしていることを特徴とするヘルメットにおけるシールドのロック機構にしたことである。
【発明の効果】
【０００８】
本発明によれば、シールドの全閉状態を確実に保持した上で、嵌合部と突起部との嵌合解除操作をより容易なものとすることができる。
又、前記効果に加えて、シールドの全閉状態をより確実に保持することができる。
そして、シールドのロックを解除する際、指を掛けるためにヘルメット本体側に凹状に設けるスペースを最小限とすることができるため、衝撃吸収スペースを確保できて安全にも寄与する。
【発明を実施するための最良の形態】
【０００９】
以下、本発明に係るヘルメットにおけるシールドのロック機構を実施するための最良の形態を図面に基づいて説明する。
図１乃至図４は本発明の第１形態を、図５乃至図６は本発明の第２形態を、図７は本発明の第３形態を、図８は本発明の第４形態を夫々示している。
尚、本形態で例示するヘルメットは、フルフェースヘルメットであるが、本発明では、フルフェースヘルメットに限らず、ジェット型のヘルメットも包含する。
図中符号Ａはフルフェースヘルメット、符号１はヘルメット本体、符号２はシールド、符号３はロック機構、符号４は嵌合部、符号５は突起部、符号６は操作子である。
【００１０】
尚、本形態で例示するフルフェースヘルメットＡは、着用者の視界を確保する前面開口部１１が開口された最外層の帽体１２の内側に衝撃吸収ライナー（図示せず）が、該衝撃吸収ライナーの内側に着用者の頭部に対応する頭部内装体(図示せず)及び着用者の両頬部に夫々対応する頬部内装体（図示せず）が装備されてなるヘルメット本体１と、該ヘルメット本体１の左右側部に上下方向に回動可能に支持され、上下回動することで前記開口部１１を開閉するシールド２とを備えた周知のものである。
【００１１】
符号１３は、シールド２の開閉動を規制するとともに、その開度を調節可能とする周知の開度調節機構である。
符号１４は、シールド２の全閉時において、ヘルメット本体１における顎ガード部１５からシールド２の軸支部１６付近に亘って設けられた段差部であり、シールド２の全閉時においてシールド２を受容し、シールド２の表面と顎ガード部から前記軸支部１６に亘るヘルメット本体１の表面とが略面一になるようにするものである。
又、符号１７は、前記操作子６を支持するとともに、該操作子６を着用者が自らの手で操作するための凹状のスペースであり、該スペース１７は、操作子６を支持する支持面１７Ａが段差部１４の表面と面一となるように形成されている。
【００１２】
前記ロック機構３は、ヘルメット本体１とシールド２とに亘って、図面上フルフェースヘルメットＡの左よりに配設されている。
ロック機構３は、シールド２側の前記嵌合部４と、ヘルメット本体１側の突起部５及び操作子６とから構成されている。
【００１３】
嵌合部４は、シールド２の下端部２１付近に、且つシールド２の全閉時において、前記段差部１４の表面と対向する部位にシールド２の長手方向に沿って開孔された長孔状のものである。
【００１４】
突起部５は、前記段差部１４に、シールド２の全閉時に前記嵌合部４と嵌合するように突設されている。
又、突起部５の先端は、球状に形成された球状部５１とされ、前記シールド２の開閉動作において、シールド２や嵌合部４が突起部５を乗り越える際に、シールド２の下端部２１や嵌合部４の縁部４１を球状部５１の球面に沿って案内するようにしている。
【００１５】
操作子６は、前記スペース１７の支持面１７Ａに、シールド２の長手方向の接線に対し垂直方向に回動可能に支持されている。
前記操作子６は、軸支部６１を回動中心とし、該回動中心を境として前方側に、シールド２を拡げて、前記突起部５と嵌合部４との嵌合を解除する傾斜面部６２と、操作子６を上方回動操作する際に着用者の指(図示せず)を当てる指当て面部６３とが形成され、後方側にシールド２の全閉状態においてシールドの拡がりを防ぐ抑え片６４が形成されてなる。
【００１６】
前記傾斜面部６２は、上端部から下端部に向けてヘルメット本体１の外方へ厚みを増すような傾斜方向として形成され、この傾斜面部６２の上端部がシールド２の下端部の下方に位置し、操作子６の回動により、シールド２の下端部２１方向から全閉状態のシールド２と段差部１４との間に挿入されるようにしている。
前記指当て面部６３は、傾斜面部６２の下端側から段差部１４側に向かって平面状に形成され、この指当て面部６３を上方に押し上げることにより、操作子６を上方回動させるようにしている。
【００１７】
前記抑え片６４は、全閉状態のシールド２の表面と対向するように立ち上げ形成され、シールド２の全閉状態において、抑え片６４が前記突起部５と嵌合部４とに正対することにより、シールド２の外方への拡がりを防いで、前記突起部５と嵌合部４との嵌合状態を保持するようにしている。
【００１８】
以下、本形態のロック機構３によるシールド２の開閉操作を説明する。
シールド２の全閉状態では、図２（ａ），図３（ａ），図３(ｂ)に示すように、前記突起部５と嵌合部４とが嵌合状態であり、且つ操作子６の傾斜面部６２の上端部がシールド２の下端部２１の下方に位置する一方、抑え片６４が前記突起部５と嵌合部４とに正対している。
シールド２の全閉状態から、前記操作子６の指当て面部６３を上方に押し上げると、図２(ｂ)に示すように、前記軸支部６１を回動中心として傾斜面部６２が上方回動する一方、抑え片６４が下方回動する。
【００１９】
上方回動する傾斜面部６２は、図４（ａ），図４(ｂ)に示すように、その上端部がシールド２の下端部２１方向から全閉状態のシールド２と段差部１４との間に挿入され、更に、連続する上方回動により、シールド２の下端部２１を上方に押し上げながら、シールド２を傾斜面部６２の傾斜面で外方へ拡げる方向へ案内する。
一方、下方回動する抑え片６４は、図２(ｂ)，図４(ａ)，図４(ｂ)に示すように、前記突起部５と嵌合部４との正対状態からシールド２の下端部２１の下方へ移動し、前記傾斜面部６２によるシールド２の外方への拡がり動作に障害を与えない位置とされる。
シールド２が傾斜面部６２により外方へ拡がって、嵌合部４が突起部５の球状部５１に至ると、シールド２に作用している上方への押し上げ力によって、嵌合部４の縁部４１が球状部５１により案内されて、上方へ移動しながら外方へ移動して嵌合部４と突起部５の嵌合が解除される。
又、嵌合部４と突起部５の嵌合が解除された状態では、傾斜面部６２がその下端部までシールド２と段差部１４との間に挿入され、シールド２の下端部２１の厚みの全てが傾斜面部６２の外側に位置する状態、すなわちシールド２が最も拡がった状態となり、着用者の指は、指当て部６３とシールド２の下端部２１に掛かる。
そして、シールド２が最も拡がった状態では、下方回動した抑え片６４の下端のスペース１７の壁面部１７Ｂに対する接触して抑え片６４の下方回動が阻止されて、傾斜面部６２の上方回動への操作子６の回動動作が規制された状態となるが、指当て部６３は回動により十分方向が変わるので、着用者は、指をほとんどずらすことなく、連続した動作でシールド２の下端部２１のみに掛けて該シールド２を上方回動することができ、シールド２を開状態にすることができる。
【００２０】
前記シールド２を開状態から全閉状態にするには、シールド２をただ下方に押し下げればよく、操作子６がその回動範囲のどこにあってもシールド２の下端部２１が傾斜面部６２上の段差部６２Ａに当たり、操作子６を下方回動させながら突起部５の球状部５１に至ると、シールド２に作用している下方への押し下げ力によって、該下端部２１が球状部５１により案内されて、下方へ移動しながら外方へ移動し、シールド２の裏面が球状部５１と正対する。
そして、この状態でシールド２を更に下方回動させることにより、シールド２が拡がった状態から元の形状に復帰して嵌合部４が突起部５に嵌合してシールド２が全閉状態になる。
このとき、操作子６の傾斜面部６２は、下方回動するシールド２の下端部２１により下方回動するため、抑え片６４が上方回動して前記突起部５と嵌合部４とに正対して、前記突起部５と嵌合部４との嵌合を保持した状態になる。
【００２１】
本形態のロック機構３によれば、操作子６による嵌合部４と突起部５との嵌合解除操作に連続してシールド２の開動作を行うことができる。
又、シールド２の全閉状態では、嵌合部４と突起部５との嵌合による全閉状態の保持に加えて、操作子における抑え片６４によりシールド２の拡がりを防いで嵌合部４と突起部５との嵌合を保持している。
したがって、シールドの全閉状態を確実に保持した上で、嵌合部と突起部との嵌合解除操作をより容易なものとすることができる。
【００２２】
すなわち、本形態のロック機構３は、前記嵌合状態を解除及び嵌合状態を保持する操作子６を有してなり、該操作子６は、シールド２とヘルメット本体１の段差部１４（外面部）との間に挿入されてシールド２を外方に拡げて嵌合部４と突起部５との嵌合を解除するように傾斜する傾斜面部６２と、シールド２の全閉状態においてシールド２の外面に対向してシールド２の拡がりを防ぐ抑え片６４とで構成されている。
傾斜面部６２と抑え片６４は、操作子６の回動中心を境にして一方側と他方側に位置させてシールド２の下端部２１に対して交互に接近・離間する方向に回動するように軸支されている。
そして、前記傾斜面部６２をシールド２の下端部２１に近接する方向に回動させる操作子６の回動により、抑え片６４がシールド２の下端部２１から離間する方向に回動してシールド２の広がりの抑えを解除すると同時に、傾斜面部６２の前記方向への回動で該傾斜面部６２がシールド２の下端部２１側から該シールド２とヘルメット本体１の前記段差部１４との間に挿入されて、傾斜面部６２の傾斜に沿ってシールド２を外方へ拡げるようにしていることを特徴としている。
【００２３】
次に本発明の第２形態を図５及び図６に基づいて説明する。
尚、本形態で例示するフルフェースヘルメットは、第１形態で例示したものと同様のものであるので、本形態ではシールドのロック機構の要部のみを図示して説明する。
【００２４】
本形態のロック機構３'は、シールド２側の前記嵌合部４と、ヘルメット本体１側の突起部５及び操作子６'とから構成されている。
尚、嵌合部４及び突起部５の構成及び作用効果は、前記第１形態と同様であるので、同符号を付すことで説明は省略する。
【００２５】
本形態の操作子６'は、シールド２の下端部２１方向から全閉状態のシールド２と段差部（本形態では図示せず）との間に挿入されてシールド２を外方へ拡げる傾斜面部６Ａと、シールド２の外面に対向して該シールド２の拡がりを抑える抑え片６Ｂとの独立した２部材から構成されている。
本形態の傾斜面部６Ａは、前記スペース（本形態では図示せず）の支持面(本形態では図示せず）に、シールド２の下端部２１に対して近接（図面上、上方）・離間（図面上、下方）する方向に直線的にスライド可能、且つ常に離間する方向へ付勢されるように支持されている。
本形態の抑え片６Ｂは、支持面に、前記傾斜面部６Ａのスライドに連動し、該傾斜面部に対して近接（図面上、左方）・離間（図面上、右方）する方向に直線的にスライド可能、且つ常に近接する方向へ付勢されるように支持されている。
そして、前記傾斜面部６Ａを上方へスライドさせることにより、抑え片６Ｂがシールド２に対する抑えを解除する一方、傾斜面部６Ａがシールド２を外方へ押拡げて嵌合部４と突起部５との嵌合を解除するように構成されている。
【００２６】
前記傾斜面部６Ａと抑え片６Ｂの構成を具体的に説明する。
傾斜面部６Ａは、上端部から下端部に向けてヘルメット本体の外方へ厚みを増すような傾斜方向として形成されている。
又、傾斜面部６Ａには、その下側の側面側に、抑え片側に近接する方向へ傾斜する押動傾斜面６１Ａが形成され、該押動傾斜面６１Ａの終端部から下方に連続して上方スライド操作する際に着用者の指を当てる指当て面部６２Ａが形成されている。
又、図６に示すように、傾斜面部６Ａの裏面には、前記支持面に固着されたベースプレート６Ｃに設けられたスライド案内レール６１Ｃに対してスライド可能に嵌合するスライド溝６３Ａが形成され、該スライド溝６３Ａには、このスライド溝６３Ａ下縁側とスライド案内レール６１Ｃの下端側とに亘ってスプリング６４Ａが配設されている。
前記スプリング６４Ａは、傾斜面部６Ａを常に下方へスライドさせる方向に付勢しており、傾斜面部６Ａの上方へのスライド時には、該スプリング６４Ａが収縮し、傾斜面部６Ａの下方へのスライドは、収縮したスプリング６４Ａの復帰時に作用する付勢力によって行われるようにされている。
更に、傾斜面部６Ａの裏面には、前記スライド溝６３Ａの下方に第２スライド溝６５Ａが形成され、該第２スライド溝６５Ａが前記ベースプレートＣに設けられたスライド案内突起６２Ｃに嵌合している。
【００２７】
抑え片６Ｂは、前記押動傾斜面部６１Ａと対面する先端部に、該押動傾斜面部６１Ａの傾斜と同方向に傾斜する接触傾斜面部６１Ｂが形成され、一方後端部には、シールド２の外面を抑える抑え突起６２Ｂが上方へ突設されてなる。
又、図６に示すように、抑え片６Ｂの裏面には、前記ベースプレート６Ｃに設けられたスライド案内レール６３Ｃに対してスライド可能に嵌合するスライド溝６３Ｂが形成され、該スライド溝６３Ｂには、このスライド溝６３Ｂの左縁側とスライド案内レール６３Ｃの側縁側とに亘ってスプリング６４Ｂが配設されている。
前記スプリング６４Ｂは、抑え片６Ｂを常に傾斜面部６Ａ側にスライドさせる方向に付勢しており、前記接触傾斜面部６１Ｂを前記押動傾斜面部６１Ａに対して押し付けるように接触させている。
【００２８】
そして、前記傾斜面部６Ａの上方へのスライドに伴って押動傾斜面部６１Ａが上方へ追従する際に、該押動傾斜面部６１Ａと前記接触傾斜面部６１Ｂとの傾斜関係により、抑え片６Ｂが右方向にスライドして、抑え突起６２Ｂをシールド２の下端部２１の外側の非対向位置に至らせるようにしている。
又、抑え片６Ｂの右方向へのスライド時には、前記スプリング６４Ｂが収縮し、抑え片６Ｂの左側へのスライドは、収縮したスプリング６４Ｂの復帰時に作用する付勢力によって行われるようにされている。
更に、抑え片６Ｂの裏面には、前記スライド溝６３Ｂの左側に第２スライド溝６５Ｂが形成され、該第２スライド溝６５Ｂが前記ベースプレート６Ｃに設けられたスライド案内突起６４Ｃに嵌合している。
【００２９】
尚、本形態におけるシールド２の抑え突起６２Ｂが対向及び非対向となる形態は、シールド２の下端部２１が、対向位置よりも非対向位置が上方に位置するように段差を設けて形成しており、抑え突起６２Ｂが対向位置に在るときには、シールド２の下端部２１が抑え突起６２Ｂの上端６２１Ｂよりも下側に在り、抑え突起６２Ｂが非対向位置に在るときには、シールド２の下端部２１が抑え突起６２Ｂの上端６２１Ｂよりも上側に在って、シールド２が外方へ拡がる際に、該シールドの下端部２１が抑え突起６２の上端６２１Ｂの上側を通過するようにしている。
又、前記押動傾斜面部６１Ａと接触傾斜面部６１Ｂの構成は、傾斜面部６Ａの上方へのスライドを抑え片６Ｂの右方向へのスライドとして伝達する伝達機構である。
【００３０】
以下、本形態のロック機構３'によるシールド２の開閉操作を説明する。
シールド２の全閉状態では、図５（ａ）に示すように、前記突起部５と嵌合部４とが嵌合状態であり、且つ傾斜面部６Ａの上端部がシールド２の下端部２１の下方に位置する一方、抑え片６Ｂがシールド２の外面と対向している。
シールド２の全閉状態から、前記傾斜面部６Ａの指当て面部６２Ａをスプリング６４Ａの付勢力に抗して上方に押し上げると、図５（ｂ）に示すように、該押動傾斜面部６１Ａと前記接触傾斜面部６１Ｂとの傾斜関係により、抑え片６Ｂが右方向にスライドして、抑え突起６２Ｂの上端６２１Ｂがシールド２の下端部２１の下方に移動し、シールド２の外方への拡がり動作に障害を与えない位置とされる。
上方へスライドする傾斜面部６Ａは、図４（ａ），図４(ｂ)に示すように、その上端部がシールド２の下端部２１方向から全閉状態のシールド２と段差部との間に挿入され、更に、連続する上方へのスライドにより、シールド２の下端部２１を上方に押し上げながら、シールド２を傾斜面部６Ａの傾斜面で外方へ拡げる方向へ案内する。
以下、シールド２は、前記第１形態で例示したものと同様の動作をして嵌合部４と突起部５との嵌合解除及び着用者の指でのシールド２の上方回動によりシールド２を開状態にすることができる。
【００３１】
このシールド２の開状態では、着用者の指は傾斜面部６Ａから離れており、該傾斜面部６Ａはスプリング６４Ａの付勢力により、下方へスライドして元の位置に復帰し、この傾斜面部６Ａの復帰に伴って、前記抑え片６Ｂもスプリング６４Ｂの付勢力によって左方へスライドして元の位置に復帰しているため、前記シールド２を開状態から下方へ回動させ、嵌合部４と突起部５とを嵌合させれば、前記抑え片６Ｂがシールド２の外面に対向して、前記突起部５と嵌合部４との嵌合を保持した状態になる（図示せず）。
【００３２】
本形態のロック機構３'によれば、操作子６'による嵌合部４と突起部５との嵌合解除操作に連続してシールド２の開動作を行うことができる。
又、シールド２の全閉状態では、嵌合部４と突起部５との嵌合による全閉状態の保持に加えて、操作子６'における抑え片６Ｂによりシールド２の拡がりを防いで嵌合部４と突起部５との嵌合を保持している。
したがって、シールドの全閉状態を確実に保持した上で、嵌合部と突起部との嵌合解除操作をより容易なものとすることができる。
【００３３】
すなわち、本形態のロック機構３'は、前記嵌合状態を解除及び嵌合状態を保持する操作子６'を有してなり、該操作子６'は、シールド２の下端部２１側から該シールド２とヘルメット本体１の段差部（外面部）との間に挿入されてシールド２を外方に拡げて嵌合部４と突起部５との嵌合を解除するように傾斜する傾斜面部６Ａと、シールド２の全閉状態においてシールド２の外面に対向してシールド２の拡がりを防ぐ抑え片６Ｂとで構成されている。
前記傾斜面部６Ａと抑え片６Ｂは、シールド２の下端部２１に対して交互に接近・離間する方向にスライドし、且つ抑え片６Ｂが前記傾斜面部６Ａにおけるシールド２の下端部２１に接近する方向のスライドに連動し、シールド２の外面との対向位置からシールド２の下端部２１の外側の非対向位置までスライドするように支持されている。
そして、前記傾斜面部６Ａをシールド２の下端部２１に近接する方向にスライドさせることにより、押動傾斜面部６１Ａと前記接触傾斜面部６１Ｂとを介して、抑え片６Ｂが対向しているシールド２の下端部２１の外側方向までスライドして、シールド２の広がりの抑えを解除状態にすると同時に、傾斜面部６Ａの前記方向へのスライドで該傾斜面部６Ａがシールド２の下端部２１側から該シールド１とヘルメット本体２１の前記段差部との間に挿入されて、傾斜面部６Ａの傾斜に沿ってシールド２を外方へ拡げるようにしていることを特徴としている。
【００３４】
次に本発明の第３形態を図７に基づいて説明する。
尚、本形態で例示するフルフェースヘルメットは、第１形態で例示したものと同様のものであるので、本形態ではシールドのロック機構の要部のみを図示して説明する。
【００３５】
本形態のロック機構３''は、シールド２側の前記嵌合部４と、ヘルメット本体１側の突起部５及び操作子６''とから構成されている。
尚、嵌合部４及び突起部５の構成及び作用効果は、前記第１形態と同様であるので、同符号を付すことで説明は省略する。
【００３６】
本形態の操作子６''は、シールド２の下端部２１方向から全閉状態のシールド２と段差部（本形態では図示せず）との間に挿入されてシールド２を外方へ拡げる傾斜面部６Ｄと、シールド２の外面に対向して該シールド２の拡がりを抑える抑え片６Ｅとの独立した２部材から構成されている。
本形態の傾斜面部６Ｄは、前記スペース（本形態では図示せず）の支持面（本形態では図示せず）に、シールド２の下端部２１に対して近接（図面上、上方）・離間（図面上、下方）する方向に直線的にスライド可能、且つ常に離間する方向へ付勢されるように支持されている。
本形態の抑え片６Ｅは、前記支持面に、前記傾斜面部６Ｄのスライドに連動し、該傾斜面部に対して近接（図面上、左方）・離間（図面上、右方）する方向に回動可能に支持されている。
そして、前記傾斜面部６Ｄを上方へスライドさせることにより、抑え片６Ｅがシールド２に対する抑えを解除する一方、傾斜面部６Ｄがシールド２を外方へ押拡げて嵌合部４と突起部５との嵌合を解除するように構成されている。
【００３７】
前記傾斜面部６Ｄと抑え片６Ｅの構成を具体的に説明する。
傾斜面部Ｄは、上端部から下端部に向けてヘルメット本体の外方へ厚みを増すような傾斜方向として形成されている。
又、傾斜面部６Ｄには、その下側に着用者の指を当てる指当て面部６１Ｄが形成され、該指当て面部６１Ｄの右側面には、傾斜面部６Ｄの上下スライドを前記抑え片６Ｅの回動に変換する機構の一部を構成するギア状部６Ｆが形成されている。
尚、本形態の傾斜面部Ｄは、第２形態に示すような構造で付勢力が付与されて上下方向スライド可能に取り付けられている（図示せず）。
【００３８】
抑え片６Ｅは、上下方向に回動可能に支持され、前記傾斜面部６Ｄと対面する先端部に、前記傾斜面部６Ｄの上下スライドを前記抑え片６Ｅの回動に変換する機構の一部を構成するギア状部６Ｇが形成され、該ギア状部６Ｇが前記ギア状部６Ｆに対して噛み合うようにし、
一方後端部には、シールド２の外面を抑える抑え突起６１Ｅが上方へ突設されてなる。
すなわち、前記傾斜面部６Ｄの上方へのスライドに伴って前記ギア状部６Ｆが上方へ追従する際に、ギア状部６Ｇとギア状部６Ｆとの噛み合い関係により、抑え片６Ｅが前記抑え突起６１Ｅを下方に移動させる方向に回動することで、該抑え突起６１Ｅをシールド２の下端部２１の下側の非対向位置に至らせるようにしている。
又、抑え片６Ｅの抑え突起６１Ｅをシールド２の外面との対向位置に復帰させる際には、上方へスライドさせていた傾斜面部６Ｄから着用者の指を離すと、傾斜面部６Ｄが、該傾斜面部６Ｄに作用する下方への付勢力によって下方へスライドする。
そして、このスライドに伴って前記ギア状部６Ｆが下方へ追従する際に、ギア状部６Ｇとギア状部６Ｆとの噛み合い関係により、抑え片６Ｅが前記抑え突起６１Ｅを上方に移動させる方向に回動することで、該抑え突起６１Ｅをシールド２の外面と対向する対向位置と同様の位置に至らせるようにしている。
【００３９】
以下、本形態のロック機構３''によるシールド２の開閉操作を説明する。
シールド２の全閉状態では、図７（ａ）に示すように、前記突起部５と嵌合部４とが嵌合状態であり、且つ傾斜面部６Ｄの上端部がシールド２の下端部２１の下方に位置する一方、抑え片６Ｅがシールド２の外面と対向している。
シールド２の全閉状態から、前記傾斜面部６Ｄの指当て面部６１Ｄを付勢力に抗して上方に押し上げると、前記ギア状部６Ｆとギア状部６Ｇとの噛み合い関係により、抑え片６Ｅが前記抑え突起６１Ｅを下方に移動させる方向に回動して、該抑え突起６１Ｅの上端６１１Ｅがシールド２の下端部２１の下方に移動し、シールド２の外方への拡がり動作に障害を与えない位置とされる。
上方へスライドする傾斜面部６Ｄは、図７（ｂ）に示すように、前記第２形態における傾斜面部６Ａと同様の動作により、シールド２を外方へ拡げる方向へ案内する。
以下、シールド２は、前記第１形態で例示したものと同様の動作をして嵌合部４と突起部５との嵌合解除及び着用者の指でのシールド２の上方回動によりシールド２を開状態にすることができる。
このシールド２の開状態では、傾斜面部６Ｄが前記第２形態と同様に付勢力により、下方へスライドして元の位置に復帰するため、この傾斜面部６Ｄの復帰に伴って、前記ギア状部６Ｆとギア状部６Ｇとの噛み合い関係により、抑え片６Ｅが前記抑え突起６１Ｅを上方に移動させる方向に回動して、該抑え突起６１Ｅがシールド２の外面に対向する位置と同位置に至る（図示せず）。
【００４０】
本形態のロック機構３''によれば、操作子６''による嵌合部４と突起部５との嵌合解除操作に連続してシールド２の開動作を行うことができる。
又、シールド２の全閉状態では、嵌合部４と突起部５との嵌合による全閉状態の保持に加えて、操作子６''における抑え片６Ｅによりシールド２の拡がりを防いで嵌合部４と突起部５との嵌合を保持している。
したがって、シールドの全閉状態を確実に保持した上で、嵌合部と突起部との嵌合解除操作をより容易なものとすることができる。
【００４１】
すなわち、本形態のロック機構３''は、前記嵌合状態を解除及び嵌合状態を保持する操作子６''を有してなり、該操作子６''は、シールド２の下端部２１側から該シールド２とヘルメット本体１の段差部（外面部）との間に挿入されてシールド２を外方に拡げて嵌合部４と突起部５との嵌合を解除するように傾斜する傾斜面部６Ｄと、シールド２の全閉状態においてシールド２の外側に対向してシールド２の拡がりを防ぐ抑え片６Ｅとで構成されている。
又、前記傾斜面部６Ｄをシールド２の下端部２１に対して接近・離間する方向にスライドするように支持する一方、抑え片６Ｅをシールド２の下端部２１に対して接近・離間する方向へ回動するように軸支し、これら傾斜面部６Ｄと抑え片６Ｅとに亘って、傾斜面部６Ｄのシールド２の下端部２１に接近する方向のスライドを、抑え片６Ｅのシールド２の下端部２１から離間する方向への回動として伝達する伝達機構（ギア状部６Ｆ，６Ｇ）を介在している。
そして、前記傾斜面部６Ｄをシールド２の下端部２１に近接する方向にスライドさせることにより、抑え片６Ｅがシールド２の下端部２１から離間する方向に回動して、シールド２の拡がりの抑えを解除状態にすると同時に、傾斜面部６Ｄの前記方向へのスライドで該傾斜面部６Ｄがシールド２の下端部２１側から該シールド２とヘルメット本体１の前記段差部との間に挿入されて、傾斜面部６Ｄの傾斜に沿ってシールド２を外方へ拡げるようにしていることを特徴としている。
【００４２】
次に本発明の第４形態を図８に基づいて説明する。
尚、本形態で例示するフルフェースヘルメットは、第１形態で例示したものと同様のものであるので、本形態ではシールドのロック機構の要部のみを図示して説明する。
【００４３】
本形態のロック機構３'''は、シールド２側の前記嵌合部４と、ヘルメット本体１側の突起部５及び操作子６'''とから構成されている。
尚、嵌合部４及び突起部５の構成及び作用効果は、前記第１形態と同様であるので、同符号を付すことで説明は省略する。
【００４４】
本形態の操作子６'''は、シールド２の下端部２１方向から全閉状態のシールド２と段差部（本形態では図示せず）との間に挿入されてシールド２を外方へ拡げる傾斜面部６Ｈと、シールド２の外面に対向して該シールド２の拡がりを抑える抑え片６Ｉとの独立した２部材から構成されている。
本形態の傾斜面部６Ｈは、前記スペース（本形態では図示せず）の支持面（本形態では図示せず）に、シールド２の下端部２１に対して近接（図面上、上方）・離間（図面上、下方）する方向に回動可能、且つ常に離間する方向へ付勢されるように支持されている。
本形態の抑え片６Ｉは、前記支持面に、前記傾斜面部６Ｈの回動に連動し、シールド２の下端部２１に対して近接（図面上、上方）・離間（図面上、下方）する方向にスライド可能に支持されている。
そして、前記傾斜面部６Ｈを上方へ回動させることにより、抑え片６Ｉがシールド２に対する抑えを解除する一方、傾斜面部６Ｈがシールド２を外方へ押拡げて嵌合部４と突起部５との嵌合を解除するように構成されている。
【００４５】
前記傾斜面部６Ｈと抑え片６Ｉの構成を具体的に説明する。
傾斜面部６Ｈは、前記支持面に、シールド２の長手方向の接線に対し垂直方向に回動可能に軸支されている。
前記傾斜面部６Ｈは、傾斜面部６Ｈを軸支する支軸６２Ｈを回動中心とし、上端部から下端部に向けてヘルメット本体１の外方へ厚みを増すような傾斜方向として形成され、その下端部には、傾斜面部６Ｈを上方回動操作する際に着用者の指を当てる指当て面部６１Ｈが形成されており、この傾斜面部６Ｈの上端部がシールド２の下端部２１の下方に位置している。
そして、この傾斜面部６Ｈが、その回動により、シールド２の下端部２１方向から全閉状態のシールド２と段差部（本形態では図示せず）との間に挿入されるようにしている。
前記指当て面部６１Ｈは、傾斜面部６Ｈの下端側から前記段差部側に向かって平面状に形成され、この指当て面部６１Ｈを上方に押し上げることにより、傾斜面部６Ｈを上方回動させるようにしている。
又、傾斜面部６Ｈを軸支する支軸６２Ｈの周りに、傾斜面部６Ｈの上方への回動に対して下方へ回動させる付勢力を与えるコイルスプリング６３Ｈが巻回され、該コイルスプリング６３Ｈの一端部を傾斜面部６Ｈ側に固定し、他端部を前記支持面側に固定することで傾斜面部６Ｈの上方への回動に対して前記下方へ回動させる付勢力を与えるようにしている。
又、傾斜面部６Ｈの軸支板部６３Ｈの図面上右側面には、前記支軸６２Ｈと同心とし、傾斜面部６Ｈの上下回動を前記抑え片６Ｉの上下スライドとして伝達する伝達機構の一部を構成するギア状部６Ｊが形成されている。
【００４６】
抑え片６Ｉは、上下方向にスライド可能に支持され、前記傾斜面部６Ｈと対面する側面部に、前記傾斜面部６Ｈの上下回動を前記抑え片６Ｉの上下スライド伝達する伝達機構の一部を構成するギア状部６Ｋが形成され、該ギア状部６Ｋが前記ギア状部６Ｊに対して噛み合うようにし、一方上端部には、シールド２の外面を抑える抑え突起６１Ｉが上方へ突設されてなる。
尚、この抑え片６Ｉの上下スライド支持構造は、例えば、前記第２形態で示したように、傾斜面部側のスライド溝と、前記支持面側のスライド案内レール６１Ｃとのスライド可能な嵌合による構造と同様な構造により実施が可能である（図示せず）。
すなわち、前記傾斜面部６Ｈの上方回動に伴って前記ギア状部６Ｊが同方向に追従して回動する際に、ギア状部６Ｊとギア状部６Ｋとの噛み合い関係により、抑え片６Ｉが前記抑え突起６１Ｉを下方に移動させる方向にスライドすることで、該抑え突起６１Ｉをシールド２の下端部２１の下側の非対向位置に至らせるようにしている（図８（ｂ）参照）。
又、抑え片６Ｉの抑え突起６１Ｉをシールド２の外面との対向位置に復帰させる際には、上方へ回動させていた傾斜面部６Ｈから着用者の指を離すと、傾斜面部６Ｈが、該傾斜面部６Ｈに作用する下方への付勢力によって下方へ回動する。
そして、この回動に伴って前記ギア状部６Ｊが下方に追従して回動する際に、ギア状部６Ｊとギア状部６Ｋとの噛み合い関係により、抑え片６Ｉが抑え突起６１Ｉを上方に移動させる方向にスライドすることで、該抑え突起６１Ｉをシールド２の外面と対向する対向位置と同様の位置に至らせるようにしている。
【００４７】
以下、本形態のロック機構３'''によるシールド２の開閉操作を説明する。
シールド２の全閉状態では、図８（ａ）に示すように、前記突起部５と嵌合部４とが嵌合状態であり、且つ傾斜面部６Ｈの上端部がシールド２の下端部２１の下方に位置する一方、抑え片６Ｉの抑え突起６１Ｉがシールド２の外面と対向している。
シールド２の全閉状態から、前記傾斜面部６Ｈの指当て面部６１Ｈを付勢力に抗して上方に回動させる、前記ギア状部６Ｊとギア状部６Ｋとの噛み合い関係により、
抑え片６Ｉが前記抑え突起６１Ｉを下方に移動させる方向にスライドして、該抑え突起６１Ｉの上端６１１Ｉがシールド２の下端部２１の下方に移動し、シールド２の外方への拡がり動作に障害を与えない位置とされる。
上方へ回動する傾斜面部６Ｈは、図８（ｂ）に示すように、前記第１形態における傾斜面部６と同様の動作により、シールド２を外方へ拡げる方向へ案内する。
以下、シールド２は、前記第１形態で例示したものと同様の動作をして嵌合部４と突起部５との嵌合解除及び着用者の指でのシールド２の上方回動によりシールド２を開状態にすることができる。
このシールド２の開状態では、傾斜面部６Ｈが下方回動させる付勢力により、下方へ回動して元の位置に復帰するため、この傾斜面部６Ｈの復帰に伴って、前記ギア状部６Ｊとギア状部６Ｋとの噛み合い関係により、抑え片６Ｉが前記抑え突起６１Ｉを上方に移動させる方向にスライドして、該抑え突起６１Ｉがシールド２の外面と対向する対向位置と同様の位置に至る（図示せず）。
【００４８】
本形態のロック機構３'''によれば、操作子６'''による嵌合部４と突起部５との嵌合解除操作に連続してシールド２の開動作を行うことができる。
又、シールド２の全閉状態では、嵌合部４と突起部５との嵌合による全閉状態の保持に加えて、操作子６'''における抑え片６Ｉによりシールド２の拡がりを防いで嵌合部４と突起部５との嵌合を保持している。
したがって、シールド２の全閉状態を確実に保持した上で、嵌合部と突起部との嵌合解除操作をより容易なものとすることができる。
【００４９】
すなわち、本形態のロック機構３'''は、前記嵌合部４と突起部５との嵌合状態を解除する操作子６'''をヘルメット本体１側に有してなり、該操作子６'''は、前記傾斜面部６Ｈをシールド２の下端部２１に対して接近・離間するように上下回動するように支持する一方、前記抑え片６Ｉをシールド２の下端部２１に対して接近・離間するように上下スライドするように支持し、これら傾斜面部６Ｈと抑え片６Ｉとに亘って、傾斜面部６Ｈのシールドの下端部に接近する上方への回動を、抑え片６Ｉのシールド２の下端部２１から離間する方向への下方スライドとして伝達する伝達機構（ギア状部６Ｊ，６Ｋ）を介在している。
そして、前記傾斜面部６Ｈをシールド２の下端部２１に近接する方向に回動させることにより、抑え片６Ｉがシールド２の下端部２１から離間する方向にスライドして、シールド２の拡がりの抑えを解除状態にすると同時に、傾斜面部６Ｈの前記方向への回動で該傾斜面部６Ｈがシールド２の下端部２１側から該シールド２とヘルメット本体１の前記外面部との間に挿入されて、傾斜面部６Ｈの傾斜に沿ってシールド２を外方へ拡げるようにしていることを特徴としている。
【００５０】
尚、本発明は、例示した実施の形態に限定するものでは無く、特許請求の範囲の各項に記載された内容から逸脱しない範囲の構成による実施が可能である。
【図面の簡単な説明】
【００５１】
【図１】本発明に係る第１形態のロック機構を実施したフルフェースヘルメットの側面図。
【図２】図１の要部拡大図で（ａ）はシールドの全閉状態を示し、(ｂ)はシールドの開動作状態を示す。
【図３】（ａ）は図２（ａ）の(ａ)−（ａ）線断面図、(ｂ)は図２（ａ）の(ｂ)−(ｂ)線断面図。
【図４】（ａ）は図２（ｂ）の(ａ)−（ａ）線断面図、(ｂ)は図２（ｂ）の(ｂ)−(ｂ)線断面図。
【図５】本発明に係る第２形態のロック機構の要部拡大図で（ａ）はシールドの全閉状態を示し、(ｂ)はシールドの開動作状態を示す。
【図６】図５におけるロック機構の傾斜面部と抑え片とのスライド構造を示す。
【図７】本発明に係る第３形態のロック機構の要部拡大図で（ａ）はシールドの全閉状態を示し、(ｂ)はシールドの開動作状態を示す。
【図８】本発明に係る第４形態のロック機構の要部拡大図で（ａ）はシールドの全閉状態を示し、(ｂ)はシールドの開動作状態を示す。
【符号の説明】
【００５２】
Ａ：フルフェースヘルメット
１：ヘルメット本体
２：シールド
２１：下端部
３：ロック機構
３'：ロック機構
３''：ロック機構
３'''：ロック機構
４：嵌合部
４１：縁部
５：突起部
６：操作子
６'：操作子
６''：操作子
６'''：操作子
６１：軸支部
６２：傾斜面部
６Ａ：傾斜面部
６Ｄ：傾斜面部
６Ｈ：傾斜面部
６３：指当て面部
６１Ａ：押動傾斜面部
６１Ｂ：接触傾斜面部
６１Ｄ：指当て面部
６２Ａ：指当て面部
６１Ｈ：指当て面部
６４：抑え片
６Ｂ：抑え片
６Ｅ：抑え片
６Ｉ：抑え片
６Ｆ：ギア状部
６Ｇ：ギア状部
６Ｊ：ギア状部
６Ｋ：ギア状部
６２Ｂ：抑え突起
６１Ｅ：抑え突起
６１Ｉ：抑え突起
【図１】
2008150718.tif 000003
【図２】
2008150718.tif 000004
【図３】
2008150718.tif 000005
【図４】
2008150718.tif 000006
【図５】
2008150718.tif 000007
【図６】
2008150718.tif 000008
【図７】
2008150718.tif 000009
【図８】
2008150718.tif 000010